(57)【要約】【課題】フレームや鼻当てパッドからレンズの着脱を容易に行えるようにして、レンズ交換が非常に簡単なものとし、しかもフレームや鼻当てパッドにレンズを装着しているときには、レンズに歪みを生じさせることがなく、レンズの光学性能や強度に悪影響を与えることのない眼鏡を提供する。【解決手段】レンズ１の外周端の少なくとも一個所に、弾性変形可能な一対の係止爪２ａ、２ｂからなる係止体２を突設し、前記一方の係止爪２ａの中心線Ｃａと他方の係止爪２ｂの中心線Ｃｂとが交差する角度θを１０〜１２０度にし、前記係止体２と、レンズフレーム３、鼻当てパッド４の少なくとも何れかとが係止するようにしている。【選択図】    図７ａ
2010256612.tif 000002
【特許請求の範囲】
【請求項１】
レンズ（１）の外周端の少なくとも一個所に、弾性変形可能な一対の係止爪（２ａ、２ｂ）からなる係止体（２）を突設し、前記一方の係止爪（２ａ）の中心線（Ｃａ）と他方の係止爪（２ｂ）の中心線（Ｃｂ）とが交差する角度（θ）を１０〜１２０度にし、前記係止体（２）と、レンズフレーム（３）、鼻当てパッド（４）の少なくとも何れかとが係止するようにしたことを特徴とする眼鏡。
【請求項２】
前記一方の係止爪（２ａ）の中心線（Ｃａ）と他方の係止爪（２ｂ）の中心線（Ｃｂ）とが前記外周端から外方において交差するようにしたことを特徴とする請求項１記載の眼鏡。
【請求項３】
前記一方の係止爪（２ａ）の中心線（Ｃａ）と他方の係止爪（２ｂ）の中心線（Ｃｂ）とが前記外周端から内方において交差するようにしたことを特徴とする請求項１記載の眼鏡。
【請求項４】
前記係止爪（２ａ、２ｂ）がそれぞれ幅（Ｈ）および高さ（Ｔ）を有するものとし、前記幅（Ｈ）を高さ（Ｔ）より小さくしたことを特徴とする請求項１記載の眼鏡。
【請求項５】
前記係止体（２）を、レンズ（１）の外周端に形成した凹部（５）内に突設したことを特徴とする請求項１記載の眼鏡。
【請求項６】
前記角度（θ）を３０〜９０度にしたことを特徴とする請求項１記載の眼鏡。
【請求項７】
前記レンズフレーム（３）、鼻当てパッド（４）の少なくとも何れかに、前記係止体（２）の係止爪（２ａ、２ｂ）間に挟まれて係止される係止凸部（６ａ）を設けたことを特徴とする請求項２記載の眼鏡。
【請求項８】
前記レンズフレーム（３）、鼻当てパッド（４）の少なくとも何れかに、前記レンズ（１）の外周端に嵌め込む嵌合溝（７）を設け、この嵌合溝（７）内に、前記係止体（２）の係止爪（２ａ、２ｂ）間に挟まれて係止される係止凸部（６ａ）を設けたことを特徴とする請求項２記載の眼鏡。
【請求項９】
前記レンズフレーム（３）、鼻当てパッド（４）の少なくとも何れかに、前記係止体（２）の係止爪（２ａ、２ｂ）を間に挟んで係止する係止凹部（６ｂ）を設けたことを特徴とする請求項３記載の眼鏡。
【請求項１０】
前記レンズフレーム（３）、鼻当てパッド（４）の少なくとも何れかに、前記レンズ（１）の外周端に嵌め込む嵌合溝（７）を設け、この嵌合溝（７）内に、前記係止体（２）の係止爪（２ａ、２ｂ）を間に挟んで係止する係止凹部（６ｂ）を設けたことを特徴とする請求項３記載の眼鏡。
【発明の詳細な説明】
【技術分野】
【０００１】
この発明は、スポーツ用、産業用、視力矯正用、サングラスなどとして用いられる眼鏡に関するものである。
【背景技術】
【０００２】
従来、この種の眼鏡としては、例えば図８、９に示したようなものが存在する。この眼鏡はサングラスとしており、適正な曲面を有した可撓性および弾性を有する一眼式のレンズ１１を備えており、このレンズ１１の両側方端部上縁には左右一対のフレーム１２を固着し、それぞれのフレーム１２にはテンプル１３を取り付けたものとしている。すなわち、前記レンズ１１の両側方端部上縁には、ねじ孔（図示省略）が設けられ、前記フレーム１２がビス１４により着脱可能に固着されている（特許文献１）。
【０００３】
さらに、この種の眼鏡としては、例えば図１０、１１に示したようなものが存在する。この眼鏡はサングラスとしており、適正な曲面を有した可撓性および弾性を有する一眼式のレンズ２１と、このレンズ２１の側方端部に取り付けた左右一対の弾性変形可能なフレーム２２と、これらフレーム２２のそれぞれに取り付けた左右一対のテンプル２３を備えたものとしている。そして、前記レンズ２１の側方端部をフレーム嵌合部２４とし、前記フレーム２２の前部にレンズ嵌合穴２５を設け、前記フレーム嵌合部２４をレンズ嵌合穴２５に嵌脱することによって、前記レンズ２１に前記フレーム２２を着脱自在として取り付けている（特許文献２）。
【先行技術文献】
【特許文献】
【０００４】
【特許文献１】特開平６−１７５０８５号公報
【特許文献２】特願２００８−２１８７８０号
【発明の概要】
【発明が解決しようとする課題】
【０００５】
しかしながら、上記特許文献１に記載された眼鏡は、レンズ１１の両側方端部上縁にフレーム１２がビス１４により着脱可能に固着されているため、固着強度は充分なものとなっているが、組み立てに手間がかかり、着脱可能といってもその着脱が容易に行えず、レンズ交換が面倒であるという問題点を有していた。また、上記特許文献１に記載された眼鏡は、ビス１４を強く締めすぎたりすると、レンズ１１に傷が付いてしまうという問題点を有していた。
【０００６】
さらに、上記特許文献２に記載された眼鏡は、レンズ２１のフレーム嵌合部２４を、フレーム２２のレンズ嵌合穴２５に嵌合させた状態では、この嵌合による応力がレンズ２１の側方端部の全域にかかり、この応力によって側方端部に歪みが生じ、この歪みがレンズ２１の光学性能や強度に悪影響を与えることがあるという問題点を有していた。
【０００７】
そこで、この発明は、上記従来の問題点を解決することをその課題としており、フレームや鼻当てパッドからレンズの着脱を容易に行えるようにして、レンズ交換が非常に簡単なものとし、しかもフレームや鼻当てパッドにレンズを装着しているときには、レンズに歪みを生じさせることがなく、レンズの光学性能や強度に悪影響を与えることのない眼鏡を提供することを目的としてなされたものである。
【課題を解決するための手段】
【０００８】
そのため、この発明の眼鏡は、レンズ１の外周端の少なくとも一個所に、弾性変形可能な一対の係止爪２ａ、２ｂからなる係止体２を突設し、前記一方の係止爪２ａの中心線Ｃａと他方の係止爪２ｂの中心線Ｃｂとが交差する角度θを１０〜１２０度にし、前記係止体２と、レンズフレーム３、鼻当てパッド４の少なくとも何れかとが係止するようにしたものとしている。
【０００９】
そして、この発明の眼鏡は、前記一方の係止爪２ａの中心線Ｃａと他方の係止爪２ｂの中心線Ｃｂとが前記外周端から外方において交差するようにしたものとしている。
【００１０】
さらに、この発明の眼鏡は、前記一方の係止爪２ａの中心線Ｃａと他方の係止爪２ｂの中心線Ｃｂとが前記外周端から内方において交差するようにしたものとしている。
【００１１】
また、この発明の眼鏡は、前記係止爪２ａ、２ｂがそれぞれ幅Ｈおよび高さＴを有するものとし、前記幅Ｈを高さＴより小さくしたものとしている。
【００１２】
さらに、この発明の眼鏡は、前記係止体２を、レンズ１の外周端に形成した凹部５内に突設したものとしている。
【００１３】
また、この発明の眼鏡は、前記角度θを３０〜９０度にしたものとしている。
【００１４】
さらに、この発明の眼鏡は、前記レンズフレーム３、鼻当てパッド４の少なくとも何れかに、前記係止体２の係止爪２ａ、２ｂ間に挟まれて係止される係止凸部６ａを設けたものとしている。
【００１５】
また、この発明の眼鏡は、前記レンズフレーム３、鼻当てパッド４の少なくとも何れかに、前記レンズ１の外周端に嵌め込む嵌合溝７を設け、この嵌合溝７内に、前記係止体２の係止爪２ａ、２ｂ間に挟まれて係止される係止凸部６ａを設けたものとしている。
【００１６】
さらに、この発明の眼鏡は、前記レンズフレーム３、鼻当てパッド４の少なくとも何れかに、前記係止体２の係止爪２ａ、２ｂを間に挟んで係止する係止凹部６ｂを設けたものとしている。
【００１７】
また、この発明の眼鏡は、前記レンズフレーム３、鼻当てパッド４の少なくとも何れかに、前記レンズ１の外周端に嵌め込む嵌合溝７を設け、この嵌合溝７内に、前記係止体２の係止爪２ａ、２ｂを間に挟んで係止する係止凹部６ｂを設けたものとしている。
【発明の効果】
【００１８】
この発明の眼鏡は、以上に述べたように構成されており、フレームや鼻当てパッドからレンズの着脱を容易に行えるようになったので、レンズ交換が非常に簡単なものとなった。
【００１９】
さらに、この発明の眼鏡は、フレームや鼻当てパッドにレンズを装着しているときには、レンズに歪みを生じさせることがなく、レンズの光学性能や強度に悪影響を与えることのないものとなった。
【図面の簡単な説明】
【００２０】
【図１】この発明の眼鏡の一実施形態を示す斜視図である。
【図２ａ】図１中の円Ａで囲んだ部分のフレームとレンズ、および鼻当てパッドとレンズとの係止状態の一例を示す説明図である。
【図２ｂ】図１中の円Ａで囲んだ部分のフレームとレンズ、および鼻当てパッドとレンズとの係止状態の他の例を示す説明図である。
【図２ｃ】図１中の円Ｂで囲んだ部分のフレームとレンズとの係止状態の一例を示す説明図である。
【図２ｄ】図１中の円Ｂで囲んだ部分のフレームとレンズとの係止状態の他の例を示す説明図である。
【図３】この発明の眼鏡の他の実施形態を示す斜視図である。
【図４ａ】図３中の円Ｃで囲んだ部分のフレームとレンズとの係止状態の一例を示す説明図である。
【図４ｂ】図３中の円Ｃで囲んだ部分のフレームとレンズとの係止状態の他の例を示す説明図である。
【図５】この発明の眼鏡のさらに他の実施形態を示す斜視図である。
【図６ａ】図５中の円Ｄで囲んだ部分の鼻当てパッドとレンズとの係止状態の一例を示す説明図である。
【図６ｂ】図５中の円Ｄで囲んだ部分の鼻当てパッドとレンズとの係止状態の他の例を示す説明図である。
【図６ｃ】図５中の円Ｅで囲んだ部分のフレームとレンズとの係止状態の一例を示す説明図である。
【図６ｄ】図５中の円Ｅで囲んだ部分のフレームとレンズとの係止状態の他の例を示す説明図である。
【図７ａ】この発明の眼鏡のレンズに突設した係止体の一例を示す説明図である。
【図７ｂ】この発明の眼鏡のレンズに突設した係止体の他の例を示す説明図である。
【図８】従来の眼鏡の一例を示す正面図である。
【図９】図８に示す眼鏡の平面図である。
【図１０】従来の眼鏡の他の例を後方から見た状態を示す斜視図である。
【図１１】図１０に示す眼鏡のレンズの側方端部とフレームの前部のレンズ嵌合穴を示す説明図である。
【発明を実施するための形態】
【００２１】
以下、この発明の眼鏡を実施するための形態を、図面に基づいて詳細に説明する。
【００２２】
この発明の眼鏡は、図に示したように、レンズ１の外周端の少なくとも一個所に、弾性変形可能な係止体２を突設し、この係止体２をレンズフレーム３、鼻当てパッド４の少なくとも何れかに係止するようにしたものとしている。なお、レンズ１は、偏光や調光機能、コーティングなどの表面処理の付加、生産性等を考慮すると素材を合成樹脂にするのが望ましく、特に耐衝撃性や係止体２の弾性機能を考慮すると、代表的な素材としてはポリカーボネートが挙げられる。さらに、レンズフレーム３は、係止体２が係止できれば素材はこだわらないが、生産性や装飾性を考慮すると代表的な素材としてはナイロン系樹脂が挙げられる。
【００２３】
前記係止体２は、弾性変形可能な一対の係止爪２ａ、２ｂからなり、図７ａに示したように、一方の係止爪２ａの中心線Ｃａと他方の係止爪２ｂの中心線Ｃｂとが前記外周端から外方において角度θで交差するようにしている。さらに、前記係止体２は、弾性変形可能な一対の係止爪２ａ、２ｂからなり、図７ｂに示したように、一方の係止爪２ａの中心線Ｃａと他方の係止爪２ｂの中心線Ｃｂとが前記外周端から内方において角度θで交差するようにしてもよい。そして、これら係止爪２ａ、２ｂの少なくとも何れか一方を傾斜させたものにしている。
【００２４】
前記係止爪２ａ、２ｂは、それぞれ幅Ｈおよび高さＴを有するものとし、前記幅Ｈを高さＴより小さくしたものとしている。これは、前記係止爪２ａ、２ｂを弾性変形し易くするためである。さらに、前記係止爪２ａ、２ｂは、それぞれの根元部の両側を曲面状にして、この根元部を太くしたものとしている。このようにすると、係止爪２ａ、２ｂが弾性変形したときの応力がこの曲面部全体で吸収された後、歪みが残らず係止爪２ａ、２ｂが元の状態に戻るので、係止爪２ａ、２ｂは耐久性に優れたものとなる。また、前記係止爪２ａ、２ｂは、それぞれの先端部を曲面状にして角を落としたものとしている。このようにすると、前記係止爪２ａ、２ｂがレンズフレーム３や鼻当てパッド４を傷つけず、スムーズにこれらに係止することができるものとなる。
【００２５】
図１に示したこの発明の眼鏡は、レンズ１を一眼レンズとしており、このレンズ１の中央の上端部の外周端、このレンズ１の中央の下端部の鼻当て部の外周端、およびこのレンズ１の両側部の外周端に、前記係止体２を突設している。さらに、図３に示したこの発明の眼鏡は、レンズ１を一眼レンズとしており、このレンズ１の側方の上端部の外周端に、前記係止体２を突設している。また、図５に示したこの発明の眼鏡は、レンズ１を二眼レンズとしており、それぞれのレンズ１の内側の対向する外周端、およびそれぞれのレンズ１の外側の外周端に、前記係止体２を突設している。なお、図５に示したこの発明の眼鏡は、レンズ１の外側の外周端に、前記係止体２を二個、連ねて突設したものとしているが、このようにするとレンズフレーム３との係止状態を強くすることができる。
【００２６】
前記係止体２は、図２ａ〜図２ｄ、図４ａ、図４ｂに示したように、レンズ１の外周端に形成した凹部５内に突設したものとすると、レンズ１をレンズフレーム３や鼻当てパッド４から外している場合に、この係止体２が凹部５内に納まっているので、何かに当たったりして、折れたり、曲げられたりし難くなり、好ましいものとなるが、この係止体２は、図６ａ〜図６ｄに示したように、前記凹部５を形成することなく、レンズ１の外周端に突設したものとしてもよい。
【００２７】
この発明の眼鏡において、前記角度θは１０〜１２０度にすることができるが、この角度θは、好ましくは３０〜９０度にすることができ、より好ましくは５０〜７０度にすることができる。前記係止体２を弾性変形可能なものとしているので、前記角度θを小さくすると、係止体２とレンズフレーム３や鼻当てパッド４との係止状態が弱いものとなり、逆に前記角度θを大きくすると、係止体２とレンズフレーム３や鼻当てパッド４との係止状態が強いものとなるが、前記角度範囲内であれば実施可能である。
【００２８】
この発明の眼鏡は、図示したものでは、前記係止爪２ａ、２ｂのそれぞれの頂点ｔを結ぶ直線Ｌと係止爪２ａの中心線Ｃａとが成す角度θａと、前記直線Ｌと係止爪２ｂの中心線Ｃｂとが成す角度θｂを等角にしたものとしている。このようにすれば、レンズフレーム３や鼻当てパッド４を係止する力は、係止爪２ａ、２ｂ共に等しくなり、レンズフレーム３や鼻当てパッド４がバランスよく係止されることになる。
【００２９】
さらに、この発明の眼鏡は、前記係止爪２ａ、２ｂのそれぞれの頂点ｔを結ぶ直線Ｌと係止爪２ａの中心線Ｃａとが成す角度θａと、前記直線Ｌと係止爪２ｂの中心線Ｃｂとが成す角度θｂを不等角にしたものとすることができる。この場合、角度θａを角度θｂより小さくすると、レンズフレーム３や鼻当てパッド４を係止する力は、係止爪２ａの方が大きくなり、逆に角度θａを角度θｂより大きくすると、レンズフレーム３や鼻当てパッド４を係止する力は、係止爪２ａの方が小さくなる。
【００３０】
また、この発明の眼鏡は、前記係止爪２ａ、２ｂのそれぞれの頂点ｔを結ぶ直線Ｌと係止爪２ａの中心線Ｃａとが成す角度θａと、前記直線Ｌと係止爪２ｂの中心線Ｃｂとが成す角度θｂの何れか一方を直角にしたものとすることができる。この場合、角度θａまたは角度θｂを直角とした何れか一方の係止爪２ａ、２ｂでは、レンズフレーム３や鼻当てパッド４を係止する力が作用しなくなるが、前記何れか他方の係止爪２ａ、２ｂでは、レンズフレーム３や鼻当てパッド４を係止する力が作用するので、これらレンズフレーム３や鼻当てパッド４を係止するのに問題はない。
【００３１】
この発明の眼鏡は、図２ａ、図２ｃ、図４ａ、図６ａ、図６ｃに示したものでは、前記レンズフレーム３、鼻当てパッド４の少なくとも何れかに、前記係止体２の係止爪２ａ、２ｂ間に挟まれて係止される係止凸部６ａを設けたものとしている。
【００３２】
さらに、この発明の眼鏡は、図２ｂ、図２ｄ、図４ｂ、図６ｂ、図６ｄに示したものでは、前記レンズフレーム３、鼻当てパッド４の少なくとも何れかに、前記係止体２の係止爪２ａ、２ｂを間に挟んで係止する係止凹部６ｂを設けたものとしている。
【００３３】
図１、図２ａ〜図２ｄに示したこの発明の眼鏡は、レンズフレーム３には、レンズ１の上端部の外周端およびレンズ１の両側部の外周端に嵌め込む嵌合溝７を設けたものとし、これら嵌合溝７内にそれぞれ前記係止凸部６ａまたは係止凹部６ｂを設けたものとしている。さらに、これらの図に示したこの発明の眼鏡は、鼻当てパッド４には、レンズ１の鼻当て部の外周端に嵌め込む嵌合溝７を設けたものとし、この嵌合溝７内に対向するようにして前記係止凸部６ａまたは係止凹部６ｂを設けたものとしている。
【００３４】
図３、図４ａ、図４ｂに示したこの発明の眼鏡は、レンズフレーム３には、レンズ１の上端部の側部の外周端に嵌め込む嵌合溝７を設けたものとし、これら嵌合溝７内にそれぞれ前記係止凸部６ａまたは係止凹部６ｂを設けたものとしている。
【００３５】
図５、図６ａ〜図６ｄに示したこの発明の眼鏡は、レンズフレーム３には、二眼レンズのそれぞれのレンズ１の外側の外周端に嵌め込む嵌合溝７を設けたものとし、これら嵌合溝７内に前記係止凸部６を二個、連ねて設けたものとしている。さらに、これらの図に示したこの発明の眼鏡は、鼻当てパッド４には、二眼レンズのそれぞれのレンズ１の内側の対向する外周端に嵌め込む嵌合溝７を設けたものとし、これら嵌合溝７内にそれぞれ前記係止凸部６ａまたは係止凹部６ｂを設けたものとしている。
【００３６】
前記係止凸部６ａは、図示したように、角を落とした略四角形状としており、前記係止体１の係止爪２ａ、２ｂにより囲まれる空間Ｓに丁度、入り込むようにした凸部としている。なお、この係止凸部６ａは、前記したように嵌合溝７内に設けたものとするのが、係止体２との係止状態がずれることなく係止体２から外れ難くなると共に、係止体２と係合している部分が外から見えなくなり外見のよいものとなる。また、係止凸部６ａは、前記係止体２と同様に弾性変形可能なものとしてもよいが、弾性変形しないものとしてもよい。
【００３７】
前記係止凹部６ｂは、図示したように、角を落とした略四角形状としており、前記係止体１の係止爪２ａ、２ｂを外側から包囲して内部に収納するようにした凹部としている。なお、この係止凹部６ｂは、前記したように嵌合溝７内に設けたものとするのが、係止体２との係止状態がずれることなく係止体２から外れ難くなると共に、係止体２と係合している部分が外から見えなくなり外見のよいものとなる。また、係止凹部６ｂは、前記係止体２と同様に弾性変形可能なものとしてもよいが、弾性変形しないものとしてもよい。
【００３８】
以上のように構成されたこの発明の眼鏡は、レンズ１の外周端に突設した弾性変形可能な係止体２と、レンズフレーム３や鼻当てパッド４に設けた係止凸部６ａまたは係止凹部６ｂとの係脱操作によって、これらフレーム３や鼻当てパッド４からレンズ１の着脱を容易に行なえるので、レンズ交換が非常に簡単なものとなる。
【００３９】
さらに、この発明の眼鏡は、係止体２が弾性変形可能な一対の係止爪２ａ、２ｂからなっているので、レンズフレーム３や鼻当てパッド４に設けた係止凸部６ａまたは係止凹部６ｂとの係脱操作時において、前記係止爪２ａ、２ｂが弾性変形した後、元の状態に戻るので、レンズフレーム３や鼻当てパッド４にレンズ１を装着している状態において、レンズ１に歪みを生じさせることがなく、レンズ１の光学性能や強度に悪影響を与えることのないものとなる。
【符号の説明】
【００４０】
１  レンズ
２  係止体
２ａ  係止爪
２ｂ  係止爪
３  レンズフレーム
４  鼻当てパッド
５  凹部
６ａ  係止凸部
６ｂ  係止凹部
７  嵌合溝
Ｃａ  中心線
Ｃｂ  中心線
Ｈ  幅
Ｔ  高さ
【図１】
2010256612.tif 000003
【図２ａ】
2010256612.tif 000004
【図２ｂ】
2010256612.tif 000005
【図２ｃ】
2010256612.tif 000006
【図２ｄ】
2010256612.tif 000007
【図３】
2010256612.tif 000008
【図４ａ】
2010256612.tif 000009
【図４ｂ】
2010256612.tif 000010
【図５】
2010256612.tif 000011
【図６ａ】
2010256612.tif 000012
【図６ｂ】
2010256612.tif 000013
【図６ｃ】
2010256612.tif 000014
【図６ｄ】
2010256612.tif 000015
【図７ａ】
2010256612.tif 000016
【図７ｂ】
2010256612.tif 000017
【図８】
2010256612.tif 000018
【図９】
2010256612.tif 000019
【図１０】
2010256612.tif 000020
【図１１】
2010256612.tif 000021